(57)【要約】【課題】  自動搭載機により搭載するに際してエンボステープ内での暴れを防止できるとともに、低背化が可能なピンコネクタを提供する。【解決手段】  ピン状の胴体部１３と、胴体部１３の胴回りに形成され自動搭載機により吸着される被吸着フランジ１４ａとを備える。被吸着フランジ１４ａは胴体部１３の下端側に向けて縮径する盃状の形状を有している。胴体部１３の上端部にはピンコンタクト１２を備える。胴体部１３の下端部には半田付けされる被半田付けフランジ１４ｂを備える。被半田付けフランジ１４ｂと被吸着フランジ１４ａの２つのフランジ以外にはフランジを有していない。【選択図】    図３
2008117598.tif 000002
【特許請求の範囲】
【請求項１】
ピン状の胴体部と、
前記胴体部の胴回りに形成され自動搭載機により吸着される被吸着フランジと、
を備え、
前記被吸着フランジは前記胴体部の一端側に向けて縮径していることを特徴とするピンコネクタ。
【請求項２】
前記胴体部の一端部には半田付けされる被半田付けフランジを備え、
前記被半田付けフランジと、前記被吸着フランジと、の２つのフランジ以外にはフランジを有していないことを特徴とする請求項１に記載のピンコネクタ。
【請求項３】
前記被吸着フランジ以外にはフランジを有していないことを特徴とする請求項１に記載のピンコネクタ。
【請求項４】
前記胴体部の他端部にはピンコンタクトを備えることを特徴とする請求項１乃至３の何れか一項に記載のピンコネクタ。
【請求項５】
請求項１乃至４の何れか一項に記載のピンコネクタを１つずつ収容した複数のエンボスポケットと、前記複数のエンボスポケットが上部に有する開口部を閉塞したトップテープと、を備えることを特徴とするエンボステープ。
【請求項６】
前記エンボスポケットは、
前記ピンコネクタの前記被吸着フランジに沿う形状に形成され該被吸着フランジを収容するテーパー状部と、
当該エンボスポケットにおける前記テーパー状部から前記開口部までの範囲を構成し、前記自動搭載機の吸着手段が入り込む大径部と、
前記テーパー状部に対し前記大径部とは反対側に位置し、前記大径部よりも径が小さい小径部と、
の３段構造をなしていることを特徴とする請求項５に記載のエンボステープ。
【発明の詳細な説明】
【技術分野】
【０００１】
本発明は、ピンコネクタ及びこれを複数有するエンボステープに関する。
【背景技術】
【０００２】
例えば携帯電話機などの電子機器に用いられるピンコネクタは、通常は、電子機器が備える基板上へ自動搭載機により実装されるため、自動搭載機により吸着される部分を有している。
【０００３】
図４は従来の一般的なピンコネクタ２１を示す側面図、図５は図４のピンコネクタ２１を収容したエンボステープ２７を示す側面図、図６は図４のピンコネクタ２１がエンボステープ２７のエンボスポケット２６内で暴れる様子を示す側面図である。
【０００４】
図４に示すように、従来のピンコネクタ２１は、チューブからなるピン状の胴体部２３と、この胴体部２３の胴回りに形成された３つのフランジ２４ａ、２４ｂ、２４ｃと、胴体部２３の上端部に形成されたピンコンタクト２２と、を備える。
【０００５】
３つのフランジ２４ａ、２４ｂ、２４ｃのうち、上部に位置する上部フランジ２４ａは、自動搭載機による実装の際に、該自動搭載機により吸着される。
【０００６】
中央に位置する中央フランジ２４ｂは、ピンコネクタ２１がエンボステープ２７（図５、図６）のエンボスポケット２６内に収納されている状態での暴れを防止する機能を有する。
【０００７】
また、下部に位置するフランジ２４ｃは、電子機器の基板上の搭載位置へ半田付けされる部分である。
【０００８】
このような構成のピンコネクタ２１は、予め、図５に示すようなエンボステープ２７に複数個が収容されて、自動搭載機による実装に供される。
【０００９】
図５に示すように、エンボステープ２７は、複数のエンボスポケット２６と、これらエンボスポケット２６が上部に有する開口部を閉塞したトップテープ２５と、を備える。
【００１０】
各エンボスポケット２６は、ピンコネクタ２１を１つずつ収容している。
【００１１】
ここで、エンボスポケット２６の開口部付近には自動搭載機の吸着ノズルが入り、この吸着ノズルによりピンコネクタ２１の上部フランジ２４ａが吸着される。このため、エンボスポケット２６において、その開口部から上部フランジ２４ａの上端部までの範囲は、吸着ノズルが入り込めるように大径部２６ａとなっている。
【００１２】
対して、エンボスポケット２６において、ピンコネクタ２１の上部フランジ２４ａ及びその下の部分を収容する部位は、ピンコネクタ２１におけるそれらの部分と対応する寸法に形成されており、大径部２６ａよりも径が小さい小径部２６ｂとなっている。
【００１３】
すなわち、図５に示すように、エンボスポケット２６は、大径部２６ａ及び小径部２６ｂからなる２段構造となっている。
【００１４】
図６に示すように、従来のピンコネクタ２１は、エンボスポケット２６内で暴れても、その中央フランジ２４ｂがエンボスポケット２６の小径部２６ｂの壁に付き当たるので、エンボスポケット２６内にしっかりと納まることができる。
【００１５】
なお、本発明に関連する先行技術文献をサーチしたものの、特開平８−８８０４０号公報（スプリングピンコネクタ）、特開２００５−２５１４４２号公報（スプリングピンコネクタ）など、本発明の本質とは関連が薄い文献しか見つからなかった。
【発明の開示】
【発明が解決しようとする課題】
【００１６】
最近は、例えば携帯電話機の薄型化に伴い、使用されるピンコネクタに低背化（高さを低くすること）が要求されるようになってきている。
【００１７】
しかし、ピンコネクタを低背化すると、加工技術の都合により中央のフランジを設けられない場合があるという問題が生じる。
【００１８】
なぜなら、一般的にピンコネクタのチューブ（フランジを含む外側の金属管）は切削加工により製作されるが、全長の低いピンコネクタにフランジを３つ形成するためには特殊な切削刃が必要であり、加工が容易でなくなる。
【００１９】
このように、ピンコネクタが中央のフランジを備えると、ピンコネクタの低背化が困難である。
【００２０】
また、上記のように、ピンコネクタが中央のフランジを有していないと、ピンコネクタがエンボステープ内で暴れるため、自動搭載機で扱う場合に不具合を起こす原因となる。
【００２１】
図７は中央のフランジを省略したピンコネクタ３１を示す側面図、図８は図７のピンコネクタ３１を収容したエンボステープ３７を示す側面図、図９は図７のピンコネクタ３１がエンボステープ３７のエンボスポケット３６内で暴れる様子を示す側面図である。
【００２２】
図７に示すピンコネクタ３１は、チューブからなるピン状の胴体部３３と、この胴体部３３の胴回りに形成された２つのフランジ３４ａ、３４ｃと、胴体部３３の上端部に形成されたピンコンタクト３２と、を備える。
【００２３】
上部に位置する上部フランジ３４ａは、自動搭載機による実装の際に吸着される部分であり、下部に位置するフランジ３４ｃは、電子機器の基板上の搭載位置へ半田付けされる部分である。
【００２４】
このようなピンコネクタ３１は、予め、図８に示すようなエンボステープ３７に収容されて、自動搭載機による実装に供される。
【００２５】
図８に示すように、エンボステープ３７は、複数のエンボスポケット３６と、これらエンボスポケット３６の上部の開口部を閉塞したトップテープ３５と、を備え、各エンボスポケット３６は、ピンコネクタ３１を１つずつ収容している。
【００２６】
エンボスポケット３６において、その開口部から上部フランジ３４ａの上端部までの範囲は、吸着ノズルが入り込めるように大径部３６ａとなっている。
【００２７】
対して、ピンコネクタ３１の上部フランジ３４ａ及びその下の部分を収容する部位は、ピンコネクタ３１におけるそれらの部分と対応する寸法に形成されており、大径部３６ａよりも小さい小径部３６ｂとなっている。
【００２８】
図９に示すように、中央のフランジを有していないピンコネクタ３１は、エンボスポケット３６内で暴れると、上部フランジ３４ａがエンボスポケット３６の段差に乗り上げて、上部フランジ３４ａからピンコンタクト３２にかけての部分が、その段差とトップテープ３５との間に挟まり、自動搭載機による吸着に支障をきたす虞がある。
【００２９】
また、ピンコネクタ３１の上部フランジ３４ａから下部フランジ３４ｃまでの部分を、フランジの外径に相当する径の円筒状型は紙コップ型のチューブ構造に変更することもできるが、この場合、実装面積が大きくなり、且つピンコネクタが不要に重くなるという問題を発生させる。
【００３０】
本発明は、上記のような問題点を解決するためになされたもので、自動搭載機により搭載するに際してエンボステープ内での暴れを防止できるとともに、低背化が可能なピンコネクタ及びこれを複数有するエンボステープを提供することを目的とする。
【課題を解決するための手段】
【００３１】
上記課題を解決するため、本発明のピンコネクタは、ピン状の胴体部と、前記胴体部の胴回りに形成され自動搭載機により吸着される被吸着フランジと、を備え、前記被吸着フランジは前記胴体部の一端側に向けて縮径していることを特徴としている。
【００３２】
本発明のピンコネクタにおいては、前記胴体部の一端部には半田付けされる被半田付けフランジを備え、前記被半田付けフランジと、前記被吸着フランジと、の２つのフランジ以外にはフランジを有していないことが好ましい。
【００３３】
或いは、本発明のピンコネクタにおいては、前記被吸着フランジ以外にはフランジを有していないことも好ましい。
【００３４】
本発明のピンコネクタにおいては、前記胴体部の他端部にはピンコンタクトを備えることが好ましい。
【００３５】
本発明のエンボステープは、本発明のピンコネクタを１つずつ収容した複数のエンボスポケットと、前記複数のエンボスポケットが上部に有する開口部を閉塞したトップテープと、を備えることを特徴としている。
【００３６】
本発明のエンボステープにおいては、前記エンボスポケットは、前記ピンコネクタの前記被吸着フランジに沿う形状に形成され該被吸着フランジを収容するテーパー状部と、当該エンボスポケットにおける前記テーパー状部から前記開口部までの範囲を構成し、前記自動搭載機の吸着手段が入り込む大径部と、前記テーパー状部に対し前記大径部とは反対側に位置し、前記大径部よりも径が小さい小径部と、の３段構造をなしていることが好ましい。
【発明の効果】
【００３７】
本発明によれば、自動搭載機により吸着される被吸着フランジが胴体部の一端側に向けて縮径しているので、この被吸着フランジがエンボスポケット内での暴れ防止機能を兼ねることとなり、従来のピンコネクタと比べてフランジを１つ削減することにより低背化しても、自動搭載機による搭載に際してピンコネクタがエンボスポケット内で暴れることを好適に防止できる。
【発明を実施するための最良の形態】
【００３８】
以下、図面を参照して、本発明に係る実施形態について説明する。
【００３９】
図１は実施形態に係るピンコネクタ１１の側面図、図２は図１のピンコネクタ１１を収容したエンボステープ１７を示す側面図である。
【００４０】
本実施形態に係るピンコネクタ１１は、例えば携帯電話機或いはその他の電子機器が備える基板上へ実装されるものであり、図１に示すように、チューブからなるピン状の胴体部１３と、この胴体部１３の胴回りに形成された２つのフランジ１４ａ、１４ｃと、胴体部１３の上端部に形成されたピンコンタクト１２と、を備える。
【００４１】
２つのフランジ１４ａ、１４ｂのうち、上側に位置するフランジ（被吸着フランジ）１４ａは、自動搭載機による実装の際に、該自動搭載機により吸着される。
【００４２】
フランジ１４ａは、胴体部１３の下端側（一端側）に向けて縮径している。すなわち、図１に示すように、フランジ１４ａは、例えば、上面が平らな盃状の形状に形成され、胴体部１３の下端側に向けて縮径するようなテーパーを有している。
【００４３】
なお、フランジ１４ａのテーパーの角度α（図１）は、例えば、概ね４５°程度であることが好ましい一例であるが、このテーパー角度αはフランジ１４ａの上端面の面積や厚みを変更することにより適宜に調整が可能である。
【００４４】
また、胴体部１３の下端部に位置するフランジ（被半田付けフランジ）１４ｂは、携帯電話機或いはその他の電子機器の基板上の実装位置へ半田付けされる部分である。
【００４５】
ピンコネクタ１１は、これら２つのフランジ１４ａ、１４ｂ以外にはフランジを有していない。
【００４６】
このような構成のピンコネクタ１１は、予め、図２に示すようなエンボステープ１７に複数個が収容されて、自動搭載機による実装に供される。
【００４７】
図２に示すように、エンボステープ１７は、ピンコネクタ１１を収容する容器である複数のエンボスポケット１６と、これらエンボスポケット１６が上部に有する開口部を閉塞したトップテープ１５と、を備える。
【００４８】
各エンボスポケット１６は、一列に配置され、ピンコネクタ１１を１つずつ収容している。
【００４９】
ここで、エンボスポケット１６の開口部付近には自動搭載機の吸着ノズル（吸着手段）が入り込み、この吸着ノズルによりピンコネクタ１１のフランジ１４ａが吸着される。このため、エンボスポケット１６において、その開口部からフランジ１４ａの上端部が位置する部位までの範囲は、吸着ノズルが入り込めるように大径部１６ａとなっている。
【００５０】
また、エンボスポケット１６において、ピンコネクタ１１のフランジ１４ａを収容する部位は、該フランジ１４ａに沿うような寸法・形状に形成され、該エンボスポケット１６の下端側に向けて縮径するテーパー状部１６ｂとなっている。
【００５１】
また、エンボスポケット１６において、ピンコネクタ１１のフランジ１４ａよりも下の部分を収容する部位は、ピンコネクタ１１におけるそれらの部分と対応する寸法に形成されており、大径部１６ａよりも径が小さく、テーパー状部１６ｂにおいて最も径が小さい下端部と同じ径の、小径部１６ｃとなっている。
【００５２】
すなわち、エンボスポケット１６は、図２に示すように、大径部１６ａ、テーパー状部１６ｂ及び小径部１６ｃからなる３段構造となっている。
【００５３】
次に、動作を説明する。
【００５４】
図３はエンボステープ１７のエンボスポケット１６内においてピンコネクタ１１が暴れる様子を示す側面図である。
【００５５】
本実施形態に係るピンコネクタ１１の場合、自動搭載機による吸着の際にエンボスポケット１６内において暴れたとしても、図３に示すように、フランジ１４ａに沿うような形状のテーパー状部１６ｂによりフランジ１４ａが誘導されて、好適にピンコネクタ１１の姿勢が保たれるので、最終的にはエンボスポケット１６内に収まって直立することができる。
【００５６】
以上のような第１の実施形態によれば、自動搭載機により吸着される上部のフランジ１４ａが盃状であるので、エンボスポケット１６内でのピンコネクタ１１の暴れを防ぐことができる。
【００５７】
しかも、自動搭載機により吸着される上部のフランジ１４ａがエンボスポケット１６内での暴れ防止機能を兼ねるため、従来のピンコネクタと比べてフランジを１つ削減することにより低背化できる。
【００５８】
加えて、従来のピンコネクタと比べてフランジを１つ削減することにより、加工工数を低減できコストダウンが可能になる。
【００５９】
なお、上記の実施形態では、ピンコネクタ１１が半田付けされるフランジ１４ｃを下端部に備える例を説明したが、胴体部１３の径が半田付けを行うのに十分な寸法であれば、このフランジ１４ｃを省略しても良い。すなわち、ピンコネクタ１１が、フランジ（被吸着フランジ）１４ａ以外にはフランジを有していない構造とすることも可能である。
【図面の簡単な説明】
【００６０】
【図１】実施形態に係るピンコネクタの側面図である。
【図２】図１のピンコネクタを収容したエンボステープを示す側面図である。
【図３】図１のピンコネクタが暴れる様子を示す側面図である。
【図４】従来のピンコネクタの側面図である。
【図５】図４のピンコネクタを収容したエンボステープを示す側面図である。
【図６】図４のピンコネクタが暴れる様子を示す側面図である。
【図７】図４のピンコネクタから中央のフランジを削除したピンコネクタの側面図である。
【図８】図７のピンコネクタを収容したエンボステープを示す側面図である。
【図９】図７のピンコネクタが暴れる様子を示す側面図である。
【符号の説明】
【００６１】
１１    ピンコネクタ
１２    ピンコンタクト
１３    胴体部
１４ａ  フランジ（被吸着フランジ）
１４ｃ  フランジ（被半田付けフランジ）
１５    トップテープ
１６    エンボスポケット
１６ａ  大径部
１６ｂ  テーパー状部
１６ｃ  小径部
１７    エンボステープ
【図１】
2008117598.tif 000003
【図２】
2008117598.tif 000004
【図３】
2008117598.tif 000005
【図４】
2008117598.tif 000006
【図５】
2008117598.tif 000007
【図６】
2008117598.tif 000008
【図７】
2008117598.tif 000009
【図８】
2008117598.tif 000010
【図９】
2008117598.tif 000011